(57)【要約】【課題】実際に高齢者や障害者が、一人で靴を履いたり脱いだりすることが、困難で自ら出来ない人は、介護者や家族等に手伝ってもらい、脱いだり履いたりしてきた。  本発明は、高齢者や障害者等が、できるだけ一人で靴の脱着をすることを、目的とするための高齢者・障害者用シューズ脱着台を提供する。【解決手段】脱着台本体上に、つま先ホルダーと、かかと側に靴の脱着を容易にさせる、かかとクッションとかかとクッションストッパーがあり、脱着台本体の両側左右には踏み込み台スペースをつくり、脱着台本体の土台には、脱着角度を調整させる、脱着台脚上部・脱着台脚下部とがあり、地面への接地面には滑り止め、脱着台脚下部には蝶番を設け、脱着台本体のつま先外淵側には、持ち運びグリップが設けられたことを特徴とする、高齢者・障害者用シューズ脱着台。【選択図】図１
2016077839.tif 000002
【特許請求の範囲】
【請求項１】
脱着台本体を支える、つま先側の下に、脱着台本体と同じ横幅約３０センチで、高さ約１５センチの脱着台脚上部と、かかと側の下に、脱着台本体と同じ横幅約３０センチで、高さ約５センチの脱着台脚下部の下のところに、折れ曲がりをさせ、高さ調整ができるように、蝶番２つを脱着台脚下部の中心から、左右約１０センチのところにネジで取り付けて、脱着台脚下部に同じ横幅約３０センチ、同じ高さ約５センチの高さ調節台を設け、脱着台本体の足置き面には、ゴム状でできた横幅約１５センチ、縦幅約１２センチの、網目状でできた、つま先の先端が固定されないような作りの、つま先部ホルダーへ靴を履いたままの状態で、つま先を入れ、ストッパーとしての役割を担う、つま先部ホルダーと、後方にある、かかとクッションを支える、クッションストッパーを設けており、かかとクッションは低反発素材でできており、靴を履いた状態でかかとを押し込むように、靴のかかとソール部を、かかとクッションに沈み込ませ、そしてつま先へ重心をもっていき、かかとを持ち上げるようにすると、靴のかかとソール部が、かかとクッションに引っかかり、かかと側よりスムーズに脱ぐ事が出来て、逆に履く際は、脱着台脚下部についている蝶番を利用して、脱着台脚下部をたてて、かかとクッション側の高さを上げることができ、そして、足のつま先を靴へ入れ、次につま先部ホルダーに履きかけの状態で入れ、つま先部ホルダーに押し込むようにし、かかとクッションの上に、靴のかかとを踏み込むようにすると、かかとクッションは低反発素材の為、足首に負担をかけずに、かかとクッションが靴のかかとソール部を圧迫しながら、脱着台本体の足置き面に靴のかかとソール部が、着地した際に、靴の装着が完了となり、また脱ぐ際には踏み込めるように、もう片方の足を、脱着台本体の両左右に、縦幅約３０センチの足型半分の形をした、踏み込み台スペースを設けて、足に負担をかけずに脱がせることができ、それぞれの脱着台脚上部の接地面には同じ幅で、丸型滑り止めゴムがついており、脱着台脚下部の接地面と、脱着台本体の下部先端の接地面には、同じ幅で滑り止めゴムが設けられていて、持ち運びやすいように、脱着台本体のつま先方向の、外淵側に幅約１５センチ、高さ約２センチの、持ち運びグリップが設けられたことを特徴とする、高齢者・障害者用シューズ脱着台。
【発明の詳細な説明】
【技術分野】
【０００１】  本発明は、高齢者や障害者等の靴の脱着に関するものである。
【背景技術】
【０００２】  従来、高齢者や障害者が靴の脱着をする際には、本人か介護者がかかとの隙間に指を入れて、力いっぱい靴のかかと部を手前に引っ張り、靴を履いてきた。
なお、つま先をつま先カバーでおさえて、かかと下の靴のソール部に板を引っ掛けて靴を履く方法が知られてきた。（特許文献１参照）。
【先行技術文献】
【特許文献】
【０００３】
【特許文献１】  特許公開２００７−１４５５７
【発明の概要】
【発明が解決しようとする課題】
【０００４】  実際に高齢者や障害者が、一人で靴を履いたり脱いだり、することが困難で自ら出来ない人は、介護者や家族等に手伝ってもらい、脱いだり履いたりしてきた。
また、脱ぐ際に木製の板が、かかとを締めつける為、高齢者等には痛みを感じてしまう。脱ぐだけでなく、履くことが利便性を感じさせるが、高齢者独自での動作は不可能だった。
本発明は、以上の問題点を解決するためになされたものである。
【課題を解決するための手段】
【０００５】  脱着台本体を支える、つま先側の下に、脱着台本体と同じ横幅約３０センチで、高さ約１５センチの脱着台脚上部と、かかと側の下に、脱着台本体と同じ横幅約３０センチで、高さ約５センチの脱着台脚下部の下のところに、折れ曲がりをさせ、高さ調整ができるように、蝶番２つを脱着台脚下部の中心から、左右約１０センチのところにネジで取り付けて、脱着台脚下部に同じ横幅約３０センチ、同じ高さ約５センチの高さ調節台を設ける。脱着台本体の足置き面には、ゴム状でできた横幅約１５センチ、縦幅約１２センチの、網目状でできた、つま先の先端が固定されないような作りの、つま先部ホルダーへ靴を履いたままの状態で、つま先を入れ、ストッパーとしての役割を担う、つま先部ホルダーと、後方にある、かかとクッションを支える、クッションストッパーを設けており、かかとクッションは低反発素材でできており、靴を履いた状態でかかとを押し込むように、靴のかかとソール部を、かかとクッションに沈み込ませる。そして、つま先へ重心をもっていき、かかとを持ち上げるようにすると、靴のかかとソール部が、かかとクッションに引っかかり、かかと側よりスムーズに脱ぐ事が出来る。
逆に履く際は、脱着台脚下部についている蝶番を利用して、脱着台脚下部をたてて、かかとクッション側の高さを上げる。そして、足のつま先を靴へ入れ、次につま先部ホルダーに履きかけの状態で入れる。つま先部ホルダーに押し込むようにし、かかとクッションの上に、靴のかかとを踏み込むようにすると、かかとクッションは低反発素材の為、足首に負担をかけずに、かかとクッションが靴のかかとソール部を圧迫しながら、脱着台本体の足置き面に靴のかかとソール部が、着地した際に靴の装着が完了となる。
また、脱ぐ際には踏み込めるように、もう片方の足を、脱着台本体の両左右に、縦幅約３０センチの足型半分の形をした、踏み込み台スペースを設けて、足に負担をかけずに脱がせることができる。そして、それぞれの脱着台脚上部の接地面には同じ幅で、丸型滑り止めゴムがついており、脱着台脚下部の接地面と、脱着台本体の下部先端の接地面には、同じ幅で滑り止めゴムが設けられている。
また、持ち運びやすいように、脱着台本体のつま先方向の、外淵側に幅約１５センチ、高さ約２センチの、持ち運びグリップが、取り付けられている。
本発明は病院・施設・介護現場で介護ベット上から降りる際や玄関先での外出時、またはリハビリ施設での機能訓練等に使用できる。そして、身寄りのない独居の方の外部コミュニケーション等の日常生活動作を促し、対人・社会交流を維持・拡大させ、自立支援を可能にする。
以上の構成によりなる高齢者・障害者用シューズ脱着台。
【発明の効果】
【０００６】  従来、不可能とされてきた靴の脱着の使用法を、本発明により可能にし、健常者以外の高齢者・介助付き高齢者・障害者まで一人で安心して対応が出来るようになる。
本発明は、ただ靴の脱着を行うだけでなく、足関節部のリハビリ効果も期待できる。
【図面の簡単な説明】
【０００７】
【図１】  本発明の斜視図
【図２】  図１を真上から見た状態を示す平面図
【図３】  本発明の側面図
【図４】  本発明を用いて靴を履く状態を示す側面図
【図５】  本発明を用いて靴を脱ぐ状態を示す側面図
【発明を実施するための形態】
【０００８】  以下、本発明の実施の形態を説明する。
脱着台本体（１）を支える、つま先側の下に、脱着台本体（１）と同じ横幅約３０センチで、高さ約１５センチの脱着台脚上部（２）と、かかと側の下に、脱着台本体（１）と同じ横幅約３０センチで、高さ約５センチの脱着台脚下部（３）の下のところに、折れ曲がりをさせ、高さ調整ができるように、蝶番（４）２つを脱着台脚下部（３）の中心から、左右約１０センチのところにネジで取り付けて、脱着台脚下部（３）に同じ横幅約３０センチ、同じ高さ約５センチの高さ調節台を設ける。脱着台本体（１）の足置き面（５）には、ゴム状でできた横幅約１５センチ、縦幅約１２センチの、網目状でできた、つま先の先端が固定されないような作りの、つま先部ホルダー（６）へ靴（７）を履いたままの状態で、つま先（８）を入れ、ストッパーとしての役割を担う、つま先部ホルダー（６）と、後方にある、かかとクッション（９）を支える、クッションストッパー（１０）を設けており、かかとクッション（９）は低反発素材でできており、靴を履いた状態でかかと（１１）を押し込むように、靴（７）のかかとソール部（１２）を、かかとクッション（９）に沈み込ませる。
そして、つま先（８）へ重心をもっていき、かかと（１１）を持ち上げるようにすると、靴（７）のかかとソール部（１２）が、かかとクッション（９）に引っかかり、かかと（１１）側よりスムーズに脱ぐ事が出来る。
逆に履く際は、脱着台脚下部（３）についている蝶番（４）を利用して、脱着台脚下部（３）をたてて、かかとクッション（９）側の高さを上げる。そして、足（１３）のつま先（８）を靴（７）へ入れ、次につま先部ホルダー（６）に履きかけの状態で入れる。つま先部ホルダー（６）に押し込むようにし、かかとクッション（９）の上に、靴（７）のかかと（１１）を踏み込むようにすると、かかとクッション（９）は低反発素材の為、足首（１４）に負担をかけずに、かかとクッション（９）が靴（７）のかかとソール部（１２）を圧迫しながら、脱着台本体（１）の足置き面（５）に靴（７）のかかとソール部（１２）が、着地した際に靴（７）の装着が完了となる。
また、脱ぐ際に踏み込めるように、もう片方の足を、脱着台本体（１）の両左右に、縦幅約３０センチの足型半分の形をした、踏み込み台スペース（１５）を設けて、足（１３）に負担をかけずに脱がせることができる。そして、それぞれの脱着台脚上部（２）の接地面には同じ幅で、丸型滑り止めゴム（１６）がついており、脱着台脚下部（３）の接地面と、脱着台本体（１）の下部先端（１８）の接地面には、同じ幅で滑り止めゴム（１７）が設けられている。
また、持ち運びやすいように、脱着台本体（１）のつま先（８）方向の、外淵側に幅約１５センチ、高さ約２センチの、持ち運びグリップ（１９）が、取り付けられている。
【符号の説明】
【０００９】１．脱着台本体、  ２．脱着台脚上部、  ３．脱着台脚下部、  ４．蝶番、
５．足置き面、  ６．つま先部ホルダー、  ７．靴、  ８．つま先、
９．かかとクッション、  １０．クッション・ストッパー、  １１．かかと、
１２．かかとソール部、  １３．足、  １４．足首、  １５．滑り止めゴム、
１６．踏み込み台スペース、  １７．滑り止めゴム、  １８．下部先端、
１９．持ち運びグリップ、
【図１】
2016077839.tif 000003
【図２】
2016077839.tif 000004
【図３】
2016077839.tif 000005
【図４】
2016077839.tif 000006
【図５】
2016077839.tif 000007